(57)【要約】【課題】  蓋体の中央に回転体を取着し、回転体に取付けた板ばねにより、常にほぼ一定の押圧力でシート状物を押圧するようにするとともに、回転体を回転させることにより、シート状物を一枚ずつ確実に送り出せるようにしたシート状物収納容器を提供すること。【解決手段】  シート状物を積重ねて収納したケース本体と、頂壁中央に回転体を回転可能に嵌挿する支持孔が穿設された蓋体とを備えたシート状物収納容器であって、該収納容器の両側壁に開口部が穿設され、回転体を回転させることにより、最上位のシート状物を廻動させ、開口部より突出させることを特徴とする。   【選択図】  図１
2005330001.tif 000002
【特許請求の範囲】
【請求項１】
シート状物を積重ねて収納したケース本体と、頂壁中央に回転体を回転可能に嵌挿する支持孔が穿設された蓋体とを備えたシート状物収納容器であって、
該収納容器の両側壁に開口部が穿設され、
回転体を回転させることにより、最上位のシート状物を廻動させ、開口部より突出させることを特徴とするシート状物収納容器。   
【請求項２】
回転体の下端面に突起を設け、下端周面に上向きの板ばねを具備させ、
該板ばねが、蓋体の頂壁裏面に当接することにより、回転体が、積重ねられたシート状物を押圧させるようにしたことを特徴とする請求項１記載のシート状物収納容器。
【請求項３】
ケース本体の内面に案内リブを設け、シート状物を開口部まで案内させることを特徴とする請求項１、２記載のシート状物収納容器。   
【請求項４】
蓋体の上方に被嵌し、回転体を覆い、開口部を閉鎖するカバーを設けたことを特徴とする請求項１〜３記載のシート状物収納容器。
【請求項５】
蓋体の頂壁に、支持孔を囲む段差部を設けたことを特徴とする請求項１〜４記載のシート状物収納容器。
【発明の詳細な説明】
【技術分野】
【０００１】
本発明は、シート状物収納容器に関するものである。
【背景技術】
【０００２】
複数枚のシート状物を積重ねて収納し、シート物状を一枚ずつ取出すようにしたシート状物収納容器は、従来より知られている（特許文献１参照）。
【特許文献１】実公昭６２−７１９２号公報
【発明の開示】
【発明が解決しようとする課題】
【０００３】
上記特許文献１記載の容器は、シート状物として、紙石鹸を収納したもので、上蓋体（４）の中央部に窓孔（８）を穿孔し、該窓孔（８）に弾性湾曲部（９ａ）と指押部（９ｃ）を具え、弾性変形自在な肉薄平板状のスライド板（９）を取付け、指押部（９ｃ）を押さえて前方に動かすことで、弾性湾曲部（９ａ）を上方に湾曲させ、指押部（９ｃ）の下面に設けた摩擦材（１０）で最上位にある紙石鹸を固定部材から切り離して、抜出孔（３）から押出すようにしている。
【０００４】
しかしながら、上記特許文献１記載の容器では、指先で指押部を押圧して取出し操作をするので、最上位の紙石鹸等のシート状物に常に一定の押圧力がかかるように操作するためには、注意力が必要であった。
押圧力が大きすぎると、２枚のシート状物を押出すことがあり、押圧力が弱いと、シート状物を正常に押出せないというおそれがあった。
【０００５】
また、枚数の多いときには、押圧力がかかりすぎ、２、３枚を一時に引出すことがあり、枚数が少なくなると、指押部を大きく押下げないと摩擦部材がシート状物に圧接しないことにもなるから、シート状物の積重ね枚数を多くすることができず、高さの小さい薄型の容器にしか利用できなかった。
【０００６】
本発明は、上記の事情を考慮して、蓋体の中央に回転体を取着し、回転体に取付けた板ばねにより、常にほぼ一定の押圧力でシート状物を押圧するようにするとともに、回転体を回転させることにより、シート状物を一枚ずつ確実に送り出せるようにしたシート状物収納容器を提供することを目的とする。
【課題を解決するための手段】
【０００７】
本発明は、上記の課題を解決するため、シート状物収納容器として、シート状物を積重ねて収納したケース本体と、頂壁中央に回転体を回転可能に嵌挿する支持孔が穿設された蓋体とを備えたシート状物収納容器であって、該収納容器の両側壁に開口部が穿設され、回転体を回転させることにより、最上位のシート状物を廻動させ、開口部より突出させることを特徴とする構成を採用する。   
【０００８】
回転体の実施例として、回転体の下端面に突起を設け、下端周面に上向きの板ばねを具備させ、該板ばねが、蓋体の頂壁裏面に当接することにより、回転体が、積重ねられたシート状物を押圧させるようにしたことを特徴とする構成を採用する。
【０００９】
ケース本体の実施例として、ケース本体の内面に案内リブを設け、シート状物を開口部まで案内させることを特徴とする構成を採用する。   
【００１０】
収納容器の別実施例として、蓋体の上方に被嵌し、回転体を覆い、開口部を閉鎖するカバーを設けたことを特徴とする構成、また、蓋体の別実施例として、蓋体の頂壁に、支持孔を囲む段差部を設けたことを特徴とする構成を採用する。
【発明の効果】
【００１１】
積重ねて収納したシート状物の上面に、蓋体の中央に取着された下端面に突起を設けた回転体によりほぼ一定の加重をかけるようにしてシート状物を押圧させ、回転体を回転させることにより、蓋体の側部に穿設した開口部から最上位のシート状物の対角部を突出させ、１枚ずつ確実に取出すことができるようになった。
ケース本体の内方に案内リブを設けたので、シート状物の積重ね量の多少にかかわらず、常に一枚ずつ確実に送り出すことができるようになった。
【００１２】
また、蓋体に被嵌するカバーを設けたときには、回転体が妄動することを抑え、さらに、大気中の塵埃や湿気が入ることを防ぐことができるようになった。
蓋体の中央部に段部を設けたときには、収納容器の高さを低くし、より薄型にすることができる。
【発明を実施するための最良の形態】
【００１３】
次に、本発明のシート状物収納容器ついて、実施例をあげて説明する。
【実施例１】
【００１４】
図１において、Ａはケース本体、Ｂは蓋体、Ｃは蓋体Ｂに廻動自在に取着された回転体、Ｄはケース本体Ａ内に積重ねて収納された紙石鹸等のシート状物である。
【００１５】
図１、２に示すように、ケース本体Ａは、底壁１と、該底壁１に連設された側周壁２とからなり、側周壁２は、前後２枚の側壁２ａと、両側二枚の側壁２ｂとから形成されている。
側壁２ａ、２ｂの外周下方には、所定の位置に係止凸部３ａ、３ｂがそれぞれ突設されている。
底壁１上面と側周壁２の内周には、一定の間隔をおいて案内リブ４が架設されている。
【００１６】
蓋体Ｂは、頂壁５と、側周壁６とを具え、側周壁６は、前後の側壁６ａと両側の側壁６ｂとから形成されている。
該側周壁６の上方は縮径された縮径部７となっており、前後の縮径部７ａと両側の縮径部７ｂとから構成され、それぞれ頂壁５に接続している。
【００１７】
頂壁５の中央には、回転体Ｃを支持する支持孔８が穿設されている。
頂壁５両側端部と、両側の縮径部７ｂと、側壁６ｂの両側上端部には、切欠け部が形成され、シート状物Ｄを取出す開口部９が設けられている。
側壁６ａ、６ｂ内周下方には、ケース本体Ａの側壁２ａ、２ｂの係止凸部３ａ、３ｂとそれぞれ嵌合する係止部１０が設けられている。
【００１８】
図２、３に示すように、回転体Ｃは、頂壁１１と円筒状の側周壁１２とを具え、側周壁１２の上方部には、ローレットが刻設された摘み部となっており、下端部には、拡径部１３が設けられている。
側周壁１２下端面には、数カ所にシートを係止する突起１４が突設されており、拡径部１３外周には、所定の位置に、上方にくの字形状に形成され、弾性を持った板ばね１５が配設されている。
【００１９】
回転体Ｃの成形時の形状は、図３（ｂ）に示すように、回転体Ｃの側周壁１２の下端面が、ケース本体Ａの底壁１と接した状態で、一定ばね圧がかかる状態となるような形状に成形されている。
【００２０】
シート状物Ｄは、ケース本体Ａ内に積重ねて収納された紙石鹸等のシート状物であり、その平面寸法は、図１に示すように、ケース本体Ａの内方の所定の位置に載置した際、シート状の各端縁が、ケース本体Ａの内方に配設された案内リブ４に少し載るくらいとしており、積重ねた高さは、ケース本体Ａの側周壁２の高さとほぼ等しくしている。
【００２１】
次に、シート状物収納容器の組立について説明する。
まず、ケース本体Ａ内方にシート状物Ｄを、所定の位置に載置する。
次いで、蓋体Ｂの頂壁５中央に穿設された支持孔８に、下方より回転体Ｃの側周壁１２を挿入した蓋体Ｂを、ケース本体Ａに被せると、ケース本体Ａの側周壁２に設けた係止凸部３ａ、３ｂに、蓋体Ｂの側壁６ａ、６ｂに設けた係止部１０が係合して両者は嵌着される。
そして、蓋体Ｂに支持された回転体Ｃの板ばね１５上端部が、蓋体Ｂの頂壁５裏面に当接し、板ばね１５の弾性により、突起１４がシート状物Ｄを一定の加重で押圧する。      
【００２２】
次に、本シート状物収納容器の作用効果について説明する。
容器の使用にあたって、蓋体Ｂに支持された回転体Ｃの側周壁１２を手指で摘み適量回転させると、図４に示すように、回転体Ｃに設けた板ばね１５の弾性により、一定の加重で押圧されたシート状物Ｄの最上位のシートｄが廻動する。
その際、シートｄとともに、複数のシートが廻動しても、案内リブ４の抵抗によって、突起１４が係合するシートｄのみが廻動を続け、対角部が案内リブ４で上昇させられ、蓋体Ｂに穿設された開口部９より外部に突出される。
【００２３】
蓋体Ｂに穿設された開口部９より突出したシートｄの対角部の一方を、指などで摘み引張るとシートｄが取出される。
その際、シート状物Ｄは回転体Ｃにより押圧を受けているので、最上位のシートｄを取出すと次のシートが一定の加重で押圧される。
【００２４】
次いで、回転体Ｃを適量回転させ、蓋体Ｂの開口部９より突出したシートｄを順次摘出することができる。
また、シート状物Ｄが残り少なくなってきても、ケース本体Ａの内方には案内リブ４が設けてあるため、低くなった最上位のシートｄの対角部が、案内リブ４により開口部９まで案内され突出することができ、シート状物Ｄの最後の一枚まで確実に取出すことができる。
【００２５】
シート状物Ｄを使い切り、図３（ｂ）に示すような状態になったら、蓋体Ｂとケース本体Ａとの嵌着を外し、ケース本体Ａ内に、新しいシート状物Ｄを詰替えて使用することができる。
【実施例２】
【００２６】
次に、実施例１のケースにカバーを装着した第２実施例について説明をする。
本実施例は、第１実施例におけるケースにカバーを装着したもので、ケース本体、蓋体の回転体の構成は、第１実施例と同一であるので、詳しい説明を省略し、相違点を中心に説明する。
【００２７】
図５において、Ａはケース本体、Ｂは蓋体、Ｃは蓋体Ｂに廻動自在に取着された回転体、Ｄはケース本体Ａ内に積重ねて収納された紙石鹸等のシート状物、Ｅはカバーである。
【００２８】
カバーＥは、図５に示すように、頂壁２１と、該頂壁２１に連設された側周壁２２とから形成されている。
側周壁２２は、前後の側壁２２ａと両側の側壁２２ｂとから形成され、側周壁２２下方は、蓋体Ｂの縮径部７に嵌合される。
側周壁２２の高さは、蓋体Ｂに嵌合したときに、最高位置にある回転体Ｃの頂壁１１にカバーＥの頂壁２１が圧接しない程度の高さである。
【００２９】
側周壁２２の両側の側壁２２ｂ下端には、蓋体Ｂに穿設された開口部９に嵌挿され、閉鎖する突出板２３が垂設されている。
【００３０】
次に、本実施例の作用効果について説明する。
本実施例においては、図５に示すように、実施例１のシート状物収納容器の上方よりカバーＥを被せることにより、カバーＥの側周壁２２下端が蓋体Ｂの側周壁６上端に当接し、側周壁２２下方内壁が縮径部７に嵌合する。
また、側周壁２２両側の側壁２２ｂに垂設された突出板２３が、蓋体Ｂに穿設された開口部９を完全に閉鎖する。
【００３１】
容器内のシート状物Ｄを使用しないときには、カバーをすることにより、輸送時や携帯時に、回転体Ｃが外部に触れて回ってしまってシート状物が突出するということがなくなる。
また、開口部９を塞ぐことにより、大気中の水分や塵埃が入ってシート状物Ｄが濡れたり、汚れたりすることを防ぐことができる。
【実施例３】
【００３２】
次に、蓋体の形状を変更して回転体の高さを低くし、容器の全高さを低く抑えた第３実施例について説明する。
本実施例では、ケース本体の構成は、前実施例と同一であり、回転体とカバーはその高さが異なるだけであるので、詳しい説明を省略し、蓋体を中心に説明する。
【００３３】
図６、７において、Ａはケース本体、Ｂａは蓋体、Ｃａは回転体、Ｄはシート状物、Ｅａはカバーである。
蓋体Ｂａは、頂壁３０と側周壁３１とを具え、側周壁３１は、前記各実施例と同様に、上端は縮径部３２となっており、縮径部３２を通して頂壁３０に連設されている。
【００３４】
前記各実施例と同様に、頂壁３０の両側端部、両側の縮径部、両側の側壁３１ａ上端には、切欠部が形成され、シート状物Ｄを取出す開口部３３が設けられている。
頂壁３０の中央には、回転体Ｃａを支持する支持孔３４が穿孔され、支持孔３４の周縁には、円形の段差部３５が設けられている。
【００３５】
頂壁３０の上面と、段差部３５の上面との間には、段差距離Ｓを有しており、少なくとも、段差距離Ｓだけ円筒体Ｃａの側周壁４０の頂壁３０からの突出高さを低くすることができる。
【００３６】
本実施例の場合には、さらに回転体Ｃａの側周壁４０を短くし、図７（ｂ）に示す最下降位置において、廻動操作が可能な程度に、蓋体Ｂの段差部３５より上方に突出するような長さとなっている。
そして、カバーＥａの頂壁４５は、図６（ａ）に示すように、最上位置にある回転体Ｃａの頂壁４１に接合する位置におけばよいので、蓋体Ｂａの頂壁３０からの高さも低くなっている。
【００３７】
次に、本実施例の作用効果について説明する。
蓋体Ｂａの中央部に段差部３５を設けたので、回転体Ｃａの頂壁４１の位置を低くすることができ、蓋体Ｂａの頂壁３０に対して、カバーＥａの頂壁４５を低くすることができる。
したがって、収納容器の全高さを低く抑えることができ、収納容器をそれだけ薄形にすることができる。
その他には、前記実施例と同等の作用効果を得ることができる。    
【００３８】
前記各実施例では、開口部を蓋体の両側壁に設けたが、ケース本体の側周壁を高くして、開口部をケース本体両側の側壁上段に設けるとともに、蓋体の構造を変更してもよい。
開口部は、シート状物を取出せればよく、実施例のケース本体と蓋体の構造に限定されない。
【産業上の利用可能性】
【００３９】
シート状物を、蓋体に支持させた回転体に具備した板ばねの押圧により押さえてケース内に収納し、回転体を回転させることにより、蓋体に設けた開口部からシート状物を最後まで一枚ずつ確実に送り出すことができる。
そして、本発明のシート状物収納容器の構成は、紙石鹸、その他の各種のシート状物品の携帯用小型容器にも適用することができる。
【図面の簡単な説明】
【００４０】
【図１】本発明第１実施例の収納容器の説明図で、（ａ）は縦断面図、（ｂ）は上面図である。
【図２】収納容器の分解斜視図である。
【図３】回転体の説明図で、（ａ）は回転体の底面斜視図、（ｂ）は成形時の形状の説明図である。
【図４】シート状物取出し時の説明図で、（ａ）は斜視図、（ｂ）は上面図である。
【図５】第２実施例の収納容器の説明図で、（ａ）は容器の縦断面図、（ｂ）はカバーの一部従断面図である。
【図６】第３実施例の収納容器の説明図で、（ａ）は容器の縦断面図、（ｂ）はカバーを取外したときの上面図である。
【図７】蓋体と回転体の説明図で、（ａ）はカバーを取外したときの斜視図、（ｂ）はシート取出し終了時の縦断面図である。
【符号の説明】
【００４１】
Ａ            ケース本体
Ｂ、Ｂａ      蓋体
Ｃ、Ｃａ      回転体
Ｄ            シート状物
ｄ            シート
Ｅ、Ｅａ      カバー
Ｓ            段差距離
１            底壁
２            側周壁
２ａ，ｂ      側壁
３ａ，ｂ      係止凸部
４            案内リブ
５、３０      頂壁
６、３１      側周壁  
６ａ，ｂ      側壁
７ａ，ｂ、３２  縮径部
８、３４      支持孔
９、３３      開口部
１０          係止部
１１、４１    頂壁
１２、４０    側周壁
１３          拡径部
１４          突起
１５          板ばね
２１、４５    頂壁
２２          側周壁
２２ａ，ｂ    側壁
２３          突出板
３５          段差部
【図１】
2005330001.tif 000003
【図２】
2005330001.tif 000004
【図３】
2005330001.tif 000005
【図４】
2005330001.tif 000006
【図５】
2005330001.tif 000007
【図６】
2005330001.tif 000008
【図７】
2005330001.tif 000009